(57)【要約】【課題】  薄型化を可能とする共に、高耐入力化、再生周波数帯域の確保を実現することができるスピーカを提供する。【解決手段】  複数の磁気回路４、５と、磁気回路４、５により駆動される複数のボイスコイル６、７と、磁気回路４、５の外側に設けられた少なくとも１つのダンパ３と、ダンパ３の可動部が取り付けられ、かつ、複数のボイスコイル６、７が取り付けられている振動板２とを有し、ボイスコイル６、７を、振動板２を介してダンパ３で支持する。振動板２を円錐形状にして、この振動板２の全高を高くした。【選択図】  図２
2005341474.tif 000002
【特許請求の範囲】
【請求項１】
複数の磁気回路（４、５）と、
前記磁気回路（４、５）により駆動される複数のボイスコイル（６、７）と、
前記磁気回路（４、５）の外側に設けられた少なくとも１つのダンパ（３）と、
前記ダンパ（３）の可動部が取り付けられ、かつ、前記複数のボイスコイル（６、７）が取り付けられている振動板（２）と、
を有し、
前記ボイスコイル（６、７）を、前記振動板（２）を介して前記ダンパ（３）で支持することを特徴とするスピーカ。
【請求項２】
前記振動板（２）を円錐形状にして、この振動板（２）の全高を高くしたことを特徴とする請求項１に記載のスピーカ。
【発明の詳細な説明】
【技術分野】
【０００１】
本発明は薄型のスピーカに関する。
【背景技術】
【０００２】
薄型化された装置にスピーカを組み込む場合、このスピーカにも薄型のものが要求される。特に、この装置が液晶パネルなどを用いた薄型テレビジョンである場合、薄型テレビジョンの厚さも必然的に薄くなる。こうした薄型の装置にスピーカを組み込む場合、特に厚みの薄いスピーカが必要である。さらに、薄型テレビジョンのような装置では、液晶パネルの両側にスピーカが配置されるために、スピーカの形状として、細長形状のものが要求される。こうした装置に用いられるスピーカとして、複数の磁気回路を有するものがある（特許文献１）。
【特許文献１】特開平１０−３２７４９１号公報
【発明の開示】
【発明が解決しようとする課題】
【０００３】
従来のスピーカを薄型形状にする場合には、次の課題がある。従来のスピーカは、高耐入力化、再生周波数帯域の確保を実現するために、振動板を円錐形状にし、さらに、振動板の底部にボイスコイルを取り付け、ボイスコイルにダンパを取り付け、さらに、ダンパを振動板と磁気回路との間に設ける構造である。この構造、つまり、振動板と磁気回路との間にダンパを有する構造のために、液晶テレビジョンのような厚みの薄い装置に組み込むために、スピーカを薄型化することが困難である。
【０００４】
また、前記の特許文献１に記載のスピーカでは、振動板が平面形状をしているので、高耐入力化および再生周波数帯域の確保をすることができない。
【０００５】
本発明は、前記の課題を解決し、薄型化を可能とする共に、高耐入力化、再生周波数帯域の確保を実現することができるスピーカを提供することにある。
【課題を解決するための手段】
【０００６】
前記課題を解決するために、請求項１の発明は、複数の磁気回路と、前記磁気回路により駆動される複数のボイスコイルと、前記磁気回路の外側に設けられた少なくとも１つのダンパと、前記ダンパの可動部が取り付けられ、かつ、前記複数のボイスコイルが取り付けられている振動板とを有し、前記ボイスコイルを、前記振動板を介して前記ダンパで支持することを特徴とするスピーカである。
請求項２の発明は、請求項１に記載のスピーカにおいて、前記振動板を円錐形状にして、この振動板の全高を高くしたことを特徴とする。
【発明の効果】
【０００７】
本発明によれば、複数の磁気回路を有するスピーカであっても、磁気回路の外側にダンパを設け、かつ、ボイスコイルを、振動板を介してダンパで支持したので、薄型化を可能にし、しかも、十分な振幅の確保、高耐入力化、および再生周波数帯域の確保を実現することができる。
【発明を実施するための最良の形態】
【０００８】
つぎに、本発明を実施するための最良の形態について、図面を参照して説明する。図１は、本実施形態によるスピーカを示す平面図であり、図２は、図１のＩ−Ｉ断面を示す断面図である。また、図３は、図１のII−II断面を示す断面図である。このスピーカは、細長形状をしたフレーム１を備えている。フレーム１には、トラック形状をした第１の開口１Ａを有する凹部が設けられている。この凹部の底の中央には、円形をした第２の開口１Ｂと、第２の開口１Ｂを挟んで円形をした第３の開口１Ｃ、１Ｄとが、フレーム１の長手方向に沿って開けられている。なお、図１の１Ｅはスピーカを取り付けるための取付け穴である。
【０００９】
フレーム１の第１の開口１Ａには、振動板２が取り付けられている。つまり、振動板２の支持材２Ａのエッジ部分が、フレーム１の第１の開口１Ａのエッジ部分に取り付けられている。振動板２は中央部分が円錐形状をし、この円錐形状の先端に位置する円形の底部分２Ｂは、ダンパ３の中心部分に取り付けられている。本実施形態によるスピーカにおいては、振動板２を円錐形状にして、振動板２の全高を高くしている。フレーム１の第３の開口１Ｃ、１Ｄと対向する振動板２の部分には、円形の取付け穴２Ｃ、２Ｄが開けられている。
【００１０】
ダンパ３の中心部分の周囲は、凹凸状に加工されている。ダンパ３のエッジ部分は、フレーム１の第２の開口１Ｂのエッジ部分に取り付けられている。つまり、ダンパ３は、その可動部が振動板２の底部分２Ｂに取り付けられ、振動板２の後面側に配置されている。
【００１１】
フレーム１の第３の開口１Ｃには、磁気回路４が取り付けられている。磁気回路４は、円柱状のヨーク４Ａを備え、ヨーク４Ａの周囲にプレート４Ｂとマグネット４Ｃとを備えている。プレート４Ｂおよびマグネット４Ｃと、ヨーク４Ａとの間には、ギャップが形成されている。同様に、フレーム１の第３の開口１Ｄには、ヨーク５Ａとプレート５Ｂとマグネット５Ｃとを備える磁気回路５が取り付けられている。磁気回路５は磁気回路４と同じである。磁気回路４、５は、フレーム１の底に取り付けられ、ダンパ３も同様にフレーム１の底に取り付けられている。つまり、本実施形態によるスピーカにおいては、磁気回路４、５の外側にダンパ３が設けられ、かつ、ダンパ３の可動部が振動板２の底部分２Ｂに取り付けられた構造をしている。
【００１２】
振動板２の取付け穴２Ｃには、円筒形状のボイスコイル６のボビン６Ａが固定され、ボイスコイル６のコイル部分６Ｂは、磁気回路４のギャップに挿入されている。振動板２側に位置するボイスコイル６の端部は、キャップ６Ｃによって塞がれている。同様に、ボイスコイル７のボビン７Ａが振動板２の取付け穴２Ｄに固定され、ボイスコイル７のコイル部分７Ａが磁気回路５のギャップに挿入されている。また、振動板２側に位置するボイスコイル７の端部は、キャップ７Ｃによって閉じられている。これら２つのボイスコイル６、７は、磁気回路４、５によって駆動され、振動板２を振動させる。
【００１３】
本実施形態によるスピーカは前記の構成である。この構成によれば、従来のように、ボイスコイルのボビンにダンパ３を取り付けていないので、ダンパ３下の振動スペースを取ることが不要になり、スピーカを薄型にすることができる。
【００１４】
また、この構成によれば、磁気回路４、５の外側にダンパ３を設けているので、磁気回路４、５の厚み分をダンパ３が振動するスペースとして利用することができ、スピーカを薄型にすることができる。
【００１５】
さらに、この構成によれば、振動板２の全高を高くすることで形状剛性を得ることができ、高耐入力化を実現することができ、再生周波数帯域を確保することができる。
【００１６】
以上、本発明の実施形態を詳述してきたが、具体的な構成は本実施形態に限られるものではなく、本発明の要旨を逸脱しない範囲の設計の変更等があっても、本発明に含まれる。
【図面の簡単な説明】
【００１７】
【図１】本発明の実施形態によるスピーカを示す平面図である。
【図２】図１のＩ−Ｉ断面を示す断面図である。
【図３】図１のII−II断面を示す断面図である。
【符号の説明】
【００１８】
１  フレーム
１Ａ  第１の開口
１Ｂ  第２の開口
１Ｃ、１Ｄ  第３の開口
１Ｅ  取付け穴
２  振動板
２Ａ  支持材
２Ｂ  底部分
２Ｃ、２Ｄ  取付け穴
３  ダンパ
４、５  磁気回路
４Ａ、５Ａ  ヨーク
４Ｂ、５Ｂ  プレート
４Ｃ、５Ｃ  マグネット
６、７  ボイスコイル
６Ａ、７Ａ  ボビン
６Ｂ、７Ｂ  コイル部分
６Ｃ、７Ｃ  キャップ
【図１】
2005341474.tif 000003
【図２】
2005341474.tif 000004
【図３】
2005341474.tif 000005